(57)【要約】      （修正有）【課題】光コネクタへの塵の浸入を阻止することができる防塵キャップを提供をする。【解決手段】コネクタハウジングと、コネクタハウジングをシールドするシールドケース7と、本体39と光ケーブルが結合される光結合部41とで形成され光信号を電気信号に変換する光トランシーバと、一端が光結合部41に装着され、他端に相手側コネクタの光結合部が装着されて光結合部41と相手側光結合部との光軸を合わせるスリーブ11とを備えた光コネクタ2に保持される防塵キャップあって、防塵キャップはコネクタハウジング内に挿入されるキャップ本体部49と、キャップ本体部49と一体に形成されて開口部23を閉塞する開口塞ぎ部13と、キャップ本体部49と一体に形成されてスリーブ11の他端に圧入されキャップ本体部49をコネクタハウジングに保持する突出部53とで形成されている。【選択図】図５
2014202776.tif 000002
【特許請求の範囲】
【請求項１】
箱状で一側に開口部が開口し光ケーブルの端末が内部に挿入されて光ケーブルの端末を覆うコネクタハウジングと、
このコネクタハウジングの外周に設けられてコネクタハウジングをシールドするシールドケースと、
本体と光ケーブルが結合される光結合部とで形成され光ケーブルと接続されて光信号を電気信号に変換する光トランシーバと、
前記コネクタハウジング内に設けられ、一端が前記光結合部に装着され、他端に相手側コネクタの光結合部が装着されて前記光結合部と相手側光結合部との光軸を合わせるスリーブとを備えた光コネクタに保持されてコネクタハウジング内への塵の浸入を素子する防塵キャップであって、
前記コネクタハウジング内に挿入されるキャップ本体部と、このキャップ本体部と一体に形成されて前記開口部を閉塞する開口塞ぎ部と、キャップ本体部と一体に形成されて前記スリーブの他端に圧入されキャップ本体部をコネクタハウジングに保持する突出部とで形成されていることを特徴とする防塵キャップ。
【請求項２】
請求項１記載の防塵キャップであって、
前記突出部の周囲を囲むように前記開口塞ぎ部から突設された嵌合部が設けられていることを特徴とする防塵キャップ。
【発明の詳細な説明】
【技術分野】
【０００１】
本発明は、光伝送を行う光ケーブル接続用の光コネクタに用いられて、光コネクタ内への塵の浸入を防止する防塵キャップに関する。
【背景技術】
【０００２】
特許文献１に、この種の防塵キャップが提案されている。特許文献１で提案されている防塵キャップは、光コネクタの光結合部側が挿入嵌合する嵌合部が形成されている。この嵌合部は、一側が開口され他側が閉塞された箱形形状に形成されており、他側を閉塞する壁部の内側に、光コネクタの光結合部を保護する突出部が形成されている。また、嵌合部の外周部分には、光コネクタのコネクタロックに係止するロック係止部が設けられている。
【０００３】
これにより、嵌合部に挿入嵌合した光コネクタの抜けが阻止され、防塵キャップで光コネクタの光結合部を覆うことで光結合部への塵の浸入を防止している。
【先行技術文献】
【特許文献】
【０００４】
【特許文献１】特開２００２−２３００９
【発明の概要】
【発明が解決しようとする課題】
【０００５】
ところが、上記特許文献１で提案された防塵キャップでは、光コネクタの防塵キャップからの抜けを防止するのに光コネクタの外周にコネクタロックを設け、防塵キャップの外周にコネクタロックに係止するロック係止部を設けているので光コネクタや防塵キャップが複雑な構造となり製造コストが高くなる。
【０００６】
また、ロック係止部が設けられた防塵キャップで、コネクタロックが設けられていない例えばＰＣＢコネクタを防塵キャップに挿入嵌合する場合には、抜けを防止するために防塵キャップ側にコネクタロックを設ける必要があり、防塵キャップの構造が複雑になる。
【０００７】
そこで、本発明は、形状が複雑になることがなく、光コネクタへの塵の浸入を阻止することができる防塵キャップの提供を目的とする。
【課題を解決するための手段】
【０００８】
上記の課題を解決するために、請求項１記載の発明では、箱状で一側に開口部２３が開口し光ケーブルの端末が内部に挿入されて光ケーブルの端末を覆うコネクタハウジング５と、このコネクタハウジング５の外周に設けられてコネクタハウジング５をシールドするシールドケース７と、本体と光ケーブルが結合される光結合部４１とで形成され光ケーブルと接続されて光信号を電気信号に変換する光トランシーバ９と、コネクタハウジング５内に設けられ、一端が光結合部４１に装着され、他端に相手側コネクタの光結合部４１が装着されて光結合部４１と相手側光結合部４１との光軸を合わせるスリーブ１１とを備えた光コネクタ２に保持されてコネクタハウジング５内への塵の浸入を素子する防塵キャップ３あって、コネクタハウジング５内に挿入されるキャップ本体部４９と、このキャップ本体部４９と一体に形成されて前記開口部２３を閉塞する開口塞ぎ部１３と、キャップ本体部４９と一体に形成されて前記スリーブ１１の他端に圧入されキャップ本体部４９をコネクタハウジング５に保持する突出部５３とで形成されていることを特徴とする。
【０００９】
また、請求項２記載の発明では、請求項１記載の防塵キャップ３であって、突出部５３の周囲を囲むように前記開口塞ぎ部１３から突設された嵌合部５５が設けられていることを特徴とする。
【発明の効果】
【００１０】
請求項１記載の発明によれば、コネクタハウジング５内に挿入されるキャップ本体部４９と、このキャップ本体部４９と一体に形成されて開口部２３を閉塞する開口塞ぎ部１３と、キャップ本体部４９と一体に形成されてスリーブ１１の他端に圧入されキャップ本体部４９をコネクタハウジング５に保持する突出部５３とで形成されていることにより、突出部５３が光トランシーバ９を保護することができる。
【００１１】
さらに、防塵キャップ３を光コネクタ２に嵌合させることができるので、コネクタロックの形成されていない光コネクタ２を採用した場合であっても、防塵キャップの形状を複雑にすることなく、光コネクタ２の防塵を行うことができる。
【００１２】
請求項２記載の発明によれば、突出部５３の周囲を囲むように開口塞ぎ部１３から突設された嵌合部５５が設けられていることにより、光結合部４１の光軸に沿って防塵キャップ３を嵌合することができるため、光結合部４１の光軸がぶれることを防止することができる。
【図面の簡単な説明】
【００１３】
【図１】本発明の光コネクタのコネクタの斜視図。
【図２】本発明の光コネクタに嵌合する防塵キャップの斜視図。
【図３】防塵キャップがコネクタに嵌合前の分解斜視図。
【図４】防塵キャップがコネクタに嵌合状態を示す斜視図。
【図５】（ａ）防塵キャップが嵌合した状態の防塵キャップ側を示す側面図、（ｂ）図５（ａ）のＡ−Ａ線断面図。
【図６】光コネクタに入り込むと予想される粉塵の経路を示す光コネクタ断面図。
【発明を実施するための形態】
【００１４】
以下、本発明の実施の形態について、図面を用いて詳細に説明する。
【００１５】
図１〜６を用いて、本発明の防塵キャップ３について説明する。
【００１６】
図１は、防塵キャップ３が嵌合する光コネクタ２（ＰＣＢコネクタ：Ｃｏｎｎｅｃｔｏｒ  ｆｏｒ  Ｐｒｉｎｔｅｄ  Ｃｉｒｃｕｉｔ  Ｂｏａｒｄ）を示している。
【００１７】
光コネクタ２は、箱状のコネクタハウジング５と、コネクタハウジング５の外周を覆うようにして配置されるシールドケース７と、光信号と電気信号の変換を行う光トランシーバ９（ＦＯＴ：ＦＩｂｅｒ  Ｏｐｔｉｃａｌ  Ｔｒａｎｓｃｅｉｖｅｒ）と、後述する光結合部４１との光軸を合わせるスリーブ１１とから形成されている。
【００１８】
箱状のコネクタハウジング５は、対向するように上面１７と下面１９が形成され、上面１７と下面１９の端部を連結するようにして側壁２１が対向するように形成されて箱状に形成されている。また、上面１７、下面１９、側壁２１とによって、略矩形筒状に形成されて一端側の開口部２３には後述する防塵キャップ３が挿入され、他端側の開口には、後述する光トランシーバ９が挿入される。
【００１９】
コネクタハウジング５の内壁面２５には、後述する防塵キャップ３を案内するキャップ案内壁２９が複数立設されており、外壁面２７には、シールドケース７を係止するシールドケース係止部３１が立設されている。
【００２０】
コネクタハウジング５の外壁面２７を覆うようにして形成されるシールドケース７は、略Ｕ字状に形成されており、対向するようにして形成される側壁部３３と、対向する側壁部３３を連結する連結壁部３５とから形成されている。
【００２１】
側壁部３３には、コネクタハウジング５に設けられたシールドケース係止部３１と係止する側壁係止部３７が形成されており、側壁係止部３７とシールドケース係止部３１とが係止することによって、シールドケース７がコネクタハウジング５に固定されている。
【００２２】
光信号と電気信号の変換を行う光トランシーバ９は、箱状の本体部３９と、本体部３９の嵌合側面４０から突設するようにして形成される光結合部４１とから形成され、コネクタハウジング５内に収容されている。
【００２３】
スリーブ１１は、薄板状の部材を筒状に形成するとともに、一部にスリット４３が形成され、バネ性を有している。このスリーブ１１の一方は光結合部４１に圧入され、図示しない相手側のコネクタと光結合部４１の光軸を合わせている。
【００２４】
また、スリーブ１１の他方には、図示しない相手側のコネクタ又は後述する防塵キャップ３の突出部５３が圧入される。
【００２５】
このスリーブ１１の内径は、光結合部４１又は防塵キャップ３の突出部５３の外周よりも小さく設定されている。なお、スリーブ１１は弾性を有する薄板材から形成されているため、スリット４３によって拡径することができるため、内周４５が光結合部４１及び突出部５３の外周に圧入されて固定している。
【００２６】
図２は、光コネクタ２の開口部２３に挿入して嵌合される防塵キャップ３を示している。
【００２７】
光コネクタ２に挿入する防塵キャップ３は、箱状の開口塞ぎ部１３と、開口塞ぎ部１３から立設する立設部１５と、から形成されている。
【００２８】
開口塞ぎ部１３は、略箱状に形成されており、光コネクタ２に挿入する嵌合側壁面４８によってコネクタハウジング５の開口部２３を閉塞している。
【００２９】
開口塞ぎ部１３の嵌合側壁面４８から立設される立設部１５は、コネクタハウジング５内に挿入されるキャップ本体部４９と、キャップ本体部４９に凹設して並設された孔部５１と、孔部５１内に突出して形成される突出部５３と、キャップ本体部４９の周囲に設けられる嵌合部５５と、コネクタハウジング５のキャップ案内壁２９が挿入される凹部５７とから形成されている。
【００３０】
キャップ本体部４９は、開口塞ぎ部１３からコネクタ側へ突設して設けられている。
【００３１】
キャップ本体部４９に設けられる孔部５１は、キャップ本体部４９に凹設して設けられている。この孔部５１の内径は、嵌合されるコネクタハウジング５の形状によって適宜変更が可能であり、コネクタハウジング５の形状に嵌合する形状であれば良い。
【００３２】
突出部５３は、キャップ本体部４９に形成された孔部５１内にコネクタ側へ突設して設けられている。この突出部５３の外径は上述した光結合部４１と同等に形成され、突出部５３の外周にはスリーブ１１が圧入される。
【００３３】
嵌合部５５は、キャップ挿入方向に対して直交する方向にキャップ本体部４９から突出して形成されている。キャップ本体部４９から突出して形成された嵌合部５５は、コネクタハウジング５の内壁面２５に形成されたキャップ案内壁２９によって防塵キャップ３の挿入が案内され、確実に光コネクタ２と防塵キャップ３とを嵌合させている。
【００３４】
キャップ本体部４９に凹設して形成される凹部５７には、コネクタハウジング５の内壁面２５に形成されたキャップ案内壁２９が摺接しているため、防塵キャップ３の光コネクタ２への取り付けを確実に行うことができる。
【００３５】
次に、防塵キャップ３の光コネクタ２への取り付けについて説明する。
【００３６】
図３に示すように、シールドケース７がコネクタハウジング５の外周を覆うようにして配置される。この際、シールドケース７に設けられた側壁係止部３７がコネクタハウジング５の外壁面２７に設けられたシールドケース係止部３１に係止することによって、コネクタハウジング５とシールドケース７とが固定されている。
【００３７】
次に、コネクタハウジング５の一方の開口から光トランシーバ９が挿入されるとともに、光トランシーバ９に形成される光結合部４１にスリーブ１１が圧入される。
【００３８】
そして、防塵キャップ３に対して、コネクタハウジング５の他方の開口部２３を図３に示す矢印方向Ｂに挿入する。
【００３９】
この際、コネクタハウジング５の内壁面２５に設けられたキャップ案内壁２９と防塵キャップ３の嵌合部５５及び凹部５７が摺接することによって、正確な嵌合位置へと案内して、図４に示すようにコネクタハウジング５と防塵キャップ３との嵌合が行われる。また、キャップ案内壁２９によって案内された防塵キャップ３は、図５に示すように、コネクタハウジング５の内部に挿入されることにより、キャップ本体部４９がコネクタハウジング５の内部に嵌合する。
【００４０】
さらに、防塵キャップ３に形成された突出部５３がスリーブ１１に圧入されることにより、光コネクタ２への防塵キャップ３の取り付けが完了する。
【００４１】
上述した構成とすることにより、防塵キャップ３に突出部５３を設けることによって、突出部５３が光トランシーバ９を保護することができるとともに、防塵キャップ３を光コネクタ２に嵌合させることができるので、コネクタロックの形成されていない光コネクタ２を採用した場合であっても、防塵キャップ３の形状を複雑にすることなく、光コネクタ２の防塵（保護）を行うことができる。
【００４２】
また、突出部５３がスリーブ１１に圧入されてコネクタハウジング５に圧入して嵌合されているため、光結合部４１の光軸に沿って防塵キャップ３を嵌合することができるため、光結合部４１の光軸がぶれることを防止することができる。
【００４３】
さらに、防塵キャップ３の開口塞ぎ部１３によってコネクタハウジング５の開口部２３を閉塞するため、コネクタハウジング５の開口部２３からの粉塵の浸入を防止することができる。
【００４４】
また、図６に示す矢印Ｄは、粉塵の浸入経路を示している。図６に示すように、仮に光コネクタ２と防塵キャップ３との間から粉塵が入り込んだとしても、光結合部４１まで到達するまでに防塵キャップ３の立設部１５を迂回しなければならず、粉塵が光結合部４１へ浸入し辛くすることができる。
【００４５】
なお、本実施例ではコネクタ（ＰＣＢコネクタ）を用いて説明したが、ＰＣＢコネクタに限らず、光ケーブル同士の結合を行うインラインコネクタ用の防塵キャップとして使用することができる。
【産業上の利用可能性】
【００４６】
本発明は、光伝送を行う光ファイバの接続に用いられる光コネクタに利用することができる。
【符号の説明】
【００４７】
２  光コネクタ
３  防塵キャップ
５  コネクタハウジング
７  シールドケース
９  光トランシーバ
２７  外壁面
５３  突出部
【図１】
2014202776.tif 000003
【図２】
2014202776.tif 000004
【図３】
2014202776.tif 000005
【図４】
2014202776.tif 000006
【図５】
2014202776.tif 000007
【図６】
2014202776.tif 000008